(57)【特許請求の範囲】
【請求項１】
金型により射出成形される複数のキャビネット構成体により構成されるキャビネットの製造方法であって、
上記キャビネット構成体の内部に部品を取り付けるために、上記金型の可動抜き方向及び上記部品の取り付け方向に応じて立設された部品取り付け部、隣接する上記各キャビネット構成体を回動自在に連結する屈曲自在なヒンジ部、及び、隣接する上記各キャビネット構成体を互いに結合する固定部を有して、複数連結されたキャビネット構成体を成形し、
上記各キャビネット構成体の部品取り付け部に上記部品を取り付け、
上記各キャビネット構成体を上記ヒンジ部により所定角度回動させると共に、隣接する上記各キャビネット構成体を上記各固定部により互いに結合して、上記各キャビネット構成体を上記キャビネットの一部として形成する
ことを特徴とするキャビネットの製造方法。
【請求項２】
上記部品としてスピーカを上記部品取り付け部に取り付ける
ことを特徴とする請求項１記載のキャビネットの製造方法。
【発明の詳細な説明】
【０００１】
【発明の属する技術分野】
本発明は電子機器等に適用されるキャビネットの製造方法に関する。詳しくは、金型の可動抜き方向及び部品の取り付け方向に応じて立設された部品取り付け部を有し、ヒンジ部により回動自在に複数連結されたキャビネット構成体を成形し、部品取付後に各キャビネット構成体を回動して組み立てることによって、キャビネットが例えば曲面を有するものであっても内部部品を容易に取り付けることができるキャビネットの製造方法に関する。
【０００２】
【従来の技術】
例えばＣＤラジオカセットレコーダのようなポータブル電子機器は近年のデザインの多様化によりそのキャビネットに曲面を多く使用するものが増えている。
【０００３】
図７にこのようなＣＤラジオカセットレコーダの本体を構成するフロントキャビネット１１の形状を示す。このフロントキャビネット１１の外面側１１ａは外観上のデザインのために湾曲して形成されている。
【０００４】
このＣＤラジオカセットレコーダを組み立てるときは、フロントフロントキャビネット１１の内面側１１ｂにスピーカ１２を取り付けた後、リヤキャビネット（図示せず）と組み合わせて本体を形成する。
【０００５】
【発明が解決しようとする課題】
ところで、図７に示すフロントキャビネット１１は金型成形の都合上、キャビティ側（外面側１１ａ）は比較的自由に曲面を形成することができるが、コア側（内面側１１ｂ）は金型の可動側抜き方向により形状が限定される。つまり、フロントキャビネット１１の内面側１１ｂではスピーカ取付用ボス１３は金型（コア）の抜き方向（図７、矢印方向）に一致するように垂直に形成される。一方、デザインとの関係からスピーカ１２の取付向きは斜めに設定されており、スピーカ取付用ボス１３の立設方向と一致していない。
【０００６】
そこで、従来は図８に示すように取付金具１５を使用してスピーカ１２を所定の取付向きで支持し、この取付金具１５をネジ１７でスピーカ取付用ボス１３に固定していた。
【０００７】
しかし、この方法では組立時にスピーカ１２の配置が不安定となるため、スピーカ１２を斜めに支持しながらネジ１７を下向きに締結する必要があり、組立作業が煩雑となるという問題があった。また、スピーカ１２を支持するための取付金具１５を別途必要とするため、部品点数が増えコストアップの原因となっていた。
【０００８】
そこで、本発明は上述したような課題を解決したものであって、曲面等を有するキャビネットを製造する場合であっても、内部部品を容易に取り付けられるとともに内部部品を支持するための別部材を必要としないキャビネットの製造方法を提案するものである。
【０００９】
【課題を解決するための手段】
上述の課題を解決するため、本発明に係るキャビネットの製造方法においては、金型により射出成形される複数のキャビネット構成体により構成されるキャビネットの製造方法であって、キャビネット構成体の内部に部品を取り付けるために、金型の可動抜き方向及び部品の取り付け方向に応じて立設された部品取り付け部、隣接する各キャビネット構成体を回動自在に連結する屈曲自在なヒンジ部、及び、隣接する各キャビネット構成体を互いに結合する固定部を有して、複数連結されたキャビネット構成体を成形し、各キャビネット構成体の部品取り付け部に部品を取り付け、各キャビネット構成体をヒンジ部により所定角度回動させると共に、隣接する各キャビネット構成体を各固定部により互いに結合して、各キャビネット構成体をキャビネットの一部として形成すること特徴とするものである。
【００１０】
本発明に係るキャビネットの製造方法においては、以下のように、複数のキャビネット構成体により構成されるキャビネットが製造される。まず、金型による射出成形により、屈曲自在なヒンジ部により回動自在に複数連結されたキャビネット構成体が成形される。このキャビネット構成体は、金型の可動抜き方向及び部品の取り付け方向に応じて立設された部品取り付け部、及び、隣接する各キャビネット構成体を互いに結合する固定部を有して成形される。
【００１１】
その後、各キャビネット構成体の部品取り付け部に上記部品が取り付けられる。その後、各キャビネット構成体がヒンジ部により所定角度回動させられ、隣接する各キャビネット構成体が各固定部により互いに結合され、各キャビネット構成体がキャビネットの一部として形成される。
【００１２】
【発明の実施の形態】
続いて、本発明に係るキャビネットの製造方法について図面を参照して詳細に説明する。図１に示すＣＤラジオカセットレコーダ１のスピーカ部２０は円筒状に形成され、その上部側に各種のスイッチ類、カセット収納部７及びＣＤ再生部８が配置される操作部１８が設けられる。このＣＤラジオカセットレコーダ１では６個のスピーカ１２がスピーカ部２０の全周に亘ってパンチングパネル９の内側に取り付けられている。
【００１３】
このスピーカ部２０は図２に示すようにスピーカ１２を取り付けたキャビネット２１を３個組み合わせることによって構成される。すなわち、１個のキャビネット２１はスピーカ部２０の全周を３分割した部分に該当する。
【００１４】
図３は成形後のキャビネット２１を外面側を下向きにして置いた状態を示す。このキャビネット２１は２個の略同一形状のキャビネット構成体２１ａ，２１ｂと、これらを連結するヒンジ部２２によって構成される。本発明によるキャビネット２１の製造方法はキャビネット２１に内部部品を取り付けた後に、キャビネット構成体２１ａ，２１ｂをヒンジ部２２で回動して所定の曲面を組み立てるものである。
【００１５】
まず、キャビネット構成体２１ａ，２１ｂについて説明する。キャビネット構成体２１ａ，２１ｂはそれぞれ円筒状のスピーカ部２０（図２）の全周を６分割したときの曲率で湾曲している。キャビネット構成体２１ａ，２１ｂの中央にはスピーカ１２（図２）の径に対応した孔２３，２３が設けられている。この孔２３，２３の内縁に沿って平坦なスピーカ載置部２９，２９が設けられ、このスピーカ載置部２９，２９には部品取付部、例えば４個のスピーカ取付用ボス２５が立設されている。
【００１６】
スピーカ取付用ボス２５はキャビネット構成体２１ａ，２１ｂの外面側を下にして置いたときに略垂直に立設される。この立設方向は金型の可動側抜き方向に一致している。また、スピーカ載置面２９，２９の面は金型の抜き方向と直交して形成される。
【００１７】
続いてヒンジ部２２について説明する。ヒンジ部２２はキャビネット構成体２１ａ，２１ｂの互いに対向する縁部（内側縁部２７，２７）に２個形成されている。ヒンジ部２２は、弾性変形により屈折可能な折曲部２２ｂと、この折曲部２２ｂとキャビネット構成体２１ａ，２１ｂとを連結する支持部２２ａ，２２ａとからＺ字状に構成される。
【００１８】
支持部２２ａ，２２ａは所定の距離だけずれた位置に互いに向かい合って突出する。折曲部２２ｂは支持部２２ａ，２２ａに一体的に連結され、キャビネット構成体２１ａ，２１ｂの内側縁部２７に沿って細長く形成される。この折曲部２２ｂは屈折可能なように特に薄い板状に形成され、あらかじめ曲げ方向に対応して断面が略Ｕ字状に形成される。
【００１９】
ヒンジ部２２を支持部２２ａ，２２ａ及び折曲部２２ｂでＺ字状に形成したのは、ヒンジ部２２の連結部から連結部までの長さをある程度長く確保することにより、キャビネット２１を比較的固い材質で成形した場合にもヒンジ部２２を柔軟に撓ませることによって折れを防止するためである。
【００２０】
キャビネット構成体２１ａ，２１ｂの内側縁部２７，２７の中央には互い違いになるように台形状の歯合部３５が２個ずつ設けられる。この歯合部３５はキャビネット構成体２１ａ，２１ｂをヒンジ部２２を支点として所定角度まで回動させたときに噛み合ってキャビネット構成体２１ａ，２１ｂを連結するものである。
【００２１】
また、一方のキャビネット構成体２１ｂの内側縁部２７の一端には被固定部３１が形成されるとともに、これに対応して他方のキャビネット構成体２１ａの内側縁部２７の端部には固定板部３２が形成される。これら被固定部３１及び固定板部３２はキャビネット構成体２１ａ，２１ｂを連結固定するための手段である固定部を構成する。
【００２２】
被固定部３１には２個のネジ孔３０，３０が設けられ、固定板部３２には２個の挿通孔３３，３３が設けられる。ネジ孔３０，３０と挿通孔３３，３３とはキャビネット構成体２１ａ，２１ｂを所定角度まで回動させたときに一致するように設定されている。
【００２３】
キャビネット構成体２１ａ，２１ｂのそれぞれの外側の縁部（外側縁部２８）の両端にはそれぞれ上述と同様の形状の被固定部３１及び固定板部３２とが設けられる。これは他のキャビネット２１との連結固定を行うものである。また、キャビネット構成体２１ａの外側縁部２８の中央には３個の逆コ字状の係合部３６が形成され、キャビネット構成体２１ｂの外側縁部２８の中央には爪状の３個の被係合部３７が形成される。係合部３６と被係合部３７は他のキャビネット２１を連結したときに他のキャビネット２１の係合部３６と被係合部３７にそれぞれ係合するものである。
【００２４】
以上のように構成されたスピーカ部２０の製造方法について以下に説明する。まず、図３に示す状態でキャビネット２１を成形する。このとき、スピーカ取付用ボス２５は金型の抜き方向に一致して垂直に成形し、スピーカ載置面２９は金型の抜き方向に直交するように略水平に成形される。
【００２５】
このキャビネット２１を外面側を下向きにして置き、スピーカ１２，１２を孔２３，２３に合わせてキャビネット構成体２１ａ，２１ｂの内面側すなわち上からスピーカ載置面２９に図４に示すように載置する。一方、スピーカ１２，１２の外縁部には４カ所の取付部１２ａがあらかじめ形成されており、この取付部１２ａをスピーカ取付用ボス２５の上部に載置してネジ３８を締結することによってスピーカ１２，１２を固定する。
【００２６】
このとき、スピーカ載置面２９（図３）は略水平であるので、スピーカ１２，１２が安定して載置され、取付位置の決定が容易であるとともに、スピーカ１２を押さえる必要がなくネジ３８を締結し易い。
【００２７】
また、スピーカ１２，１２の取付向きがスピーカ取付用ボス２５の立設方向と対応しているので、従来のフロントキャビネット１１（図７）と異なり、取付金具１７（図８）等を用いなくともスピーカ１２を直接取り付けることができ、部品点数を減少させることができる。
【００２８】
続いて図５に示すようにキャビネット構成体２１ａ，２１ｂを所定の曲面を形成するようにヒンジ部２２（図３）を支点として折り曲げる。このとき歯合部３５が互い違いに噛み合わされ、キャビネット構成体２１ａ，２１ｂが連結される。ここでネジ３９を固定板部３２の挿通孔３３，３３を通じて被固定部３１のネジ孔３０，３０（図３）に締結することにより、キャビネット構成体２１ａ，２１ｂが所定の角度で連結固定される。
【００２９】
他の２個のキャビネット２１も同様に組み立てる。キャビネット２１同士の連結を行うときは図６に示すように係合部３６と被係合部３７とを互い違いに係合させる。ここでネジ３９を用いて一方のキャビネット２１の固定板部３２，３２を他方のキャビネット２１の被固定部３１，３１に固定する。
【００３０】
このようにしてキャビネット２１を３個連結することによって図２に示す円筒状のスピーカ部２０が形成される。これにパンチングパネル９、操作部１８（図１）及びボトムキャビネット（図示せず）を組み付けることによりＣＤラジオカセットレコーダ１の本体が形成される。
【００３１】
なお、本例ではＣＤラジオカセットレコーダ１に適用するキャビネット２１の製造方法について説明したが、これに限られず他の電子機器や装置のキャビネットの製造方法としても適用可能である。
【００３２】
また、本例ではキャビネット２１を３個使用してスピーカ部２０を形成したが、６個のキャビネット構成体をヒンジ部で回動自在に連結したキャビネットによって形成してもよい。この場合は、１個のキャビネット２１でスピーカ部２０を構成することができ、部品点数をさらに減少させることができる。
【００３３】
【発明の効果】
以上説明したように、本発明は、複数のキャビネット構成体により構成されるキャビネットの製造方法であって、金型の可動抜き方向及び部品の取り付け方向に応じて立設された部品取り付け部を有し、ヒンジ部により回動自在に複数連結されたキャビネット構成体を成形し、各キャビネット構成体の部品取り付け部に上記部品を取り付け、各キャビネット構成体をヒンジ部により所定角度回動させると共に、隣接する各キャビネット構成体を互いに結合して、各キャビネット構成体をキャビネットの一部として形成することを特徴とするものである。
【００３５】
従って本発明によれば、キャビネットが曲面を有し内部部品を傾けて取付固定する場合であっても、部品取付部の立設方向を部品の取付向きに対応させることができるので部品の取り付けが容易になるとともに、部品を傾けて支持するための部材等が不要となり部品点数を減少させることが可能になる等の効果がある。
【図面の簡単な説明】
【図１】本発明に係るキャビネット２１を適用したＣＤラジオカセットレコーダ１の外観を示す斜視図である。
【図２】図１のＩ−Ｉ′断面図である。
【図３】キャビネット２１の構成を示す斜視図である。
【図４】キャビネット２１の製造方法（１／３）を示す斜視図である。
【図５】キャビネット２１の製造方法（２／３）を示す斜視図である。
【図６】キャビネット２１の製造方法（３／３）を示す斜視図である。
【図７】従来のＣＤラジオカセットレコーダのフロントキャビネット１１の構成を示す断面図である。
【図８】フロントキャビネット１１へのスピーカ１２の取付方法を示す断面図である。
【符号の説明】
１  ＣＤラジオカセットレコーダ
１１  フロントキャビネット
１２  スピーカ
１７  取付金具
２０  スピーカ部
２１  キャビネット
２１ａ，２１ｂ  キャビネット構成体
２２  ヒンジ部
２５  スピーカ取付用ボス
３１  被固定部
３２  固定板部
３５  歯合部
３６  係合部
３７  被係合部
【図１】
0003735934.tif 000002
【図２】
0003735934.tif 000003
【図３】
0003735934.tif 000004
【図４】
0003735934.tif 000005
【図５】
0003735934.tif 000006
【図６】
0003735934.tif 000007
【図７】
0003735934.tif 000008
【図８】
0003735934.tif 000009